(57)【要約】【課題】起動時に、ＬＥＤ照明の光量が安定するまでの時間の短縮化を図ること。【解決手段】画像入力装置２００は、ＬＥＤ照明１０と、ＬＥＤ照明１０の温度を検出する温度センサ３０と、ＬＥＤ照明１０の光量を検出する光量センサ２０と、ＬＥＤ照明１０の温度及びＬＥＤ照明１０の光量に基づいて、ＬＥＤ照明１０に供給する供給電流を制御する制御回路４０と、を備える。制御回路４０は、装置起動後にＬＥＤ照明１０の温度が所定の温度範囲内になるまでは、ＬＥＤ照明１０の光量が規格範囲内になければ、供給電流を、第２電流量よりも大きい第１電流量分増加又は減少させる処理を繰り返し行う。また、制御回路４０は、装置起動後にＬＥＤ照明１０の温度が所定の温度範囲内になった後は、ＬＥＤ照明１０の光量が規格範囲内になければ、供給電流を第２電流量分増加又は減少させる処理を繰り返し行う。【選択図】図８
2019165292.tif 000002
【特許請求の範囲】
【請求項１】
複数のＬＥＤ素子から構成されるＬＥＤ照明と、
前記ＬＥＤ照明の温度を検出する温度センサと、
前記ＬＥＤ照明の光量を検出する光量センサと、
前記温度センサで検出された前記ＬＥＤ照明の温度及び前記光量センサで検出された前記ＬＥＤ照明の光量に基づいて、前記ＬＥＤ照明に供給する供給電流を制御する制御回路と、を備え、
前記制御回路は、
装置起動後に前記ＬＥＤ照明の温度が所定の温度範囲内になるまでは、前記ＬＥＤ照明の光量が規格範囲内になければ、前記供給電流を、第２電流量よりも大きい第１電流量分増加又は減少させる処理を繰り返し行い、
装置起動後に前記ＬＥＤ照明の温度が前記所定の温度範囲内になった後は、前記ＬＥＤ照明の光量が前記規格範囲内になければ、前記供給電流を前記第２電流量分増加又は減少させる処理を繰り返し行う、
画像入力装置。
【請求項２】
前記ＬＥＤ照明をブロック単位で分割し、
前記制御回路は、
各ブロック毎に、前記温度センサで検出された前記ＬＥＤ照明の温度及び前記光量センサで検出された該当ブロックの光量に基づいて、該当ブロックに供給する前記供給電流を制御する、
請求項１に記載の画像入力装置。
【請求項３】
前記制御回路は、
装置起動後に前記ＬＥＤ照明の温度が前記所定の温度範囲内になるまでは、各ブロック毎に、該当ブロックの光量が前記規格範囲内になければ、該当ブロックに供給する前記供給電流を前記第１電流量分増加又は減少させる処理を繰り返し行い、
装置起動後に前記ＬＥＤ照明の温度が前記所定の温度範囲内になった後は、各ブロック毎に、該当ブロックの光量が前記規格範囲内になければ、該当ブロックに供給する前記供給電流を前記第２電流量分増加又は減少させる処理を繰り返し行う、
請求項２に記載の画像入力装置。
【請求項４】
前記制御回路は、
装置起動後に前記ＬＥＤ照明の温度が前記所定の温度範囲内になるまでは、前記ＬＥＤ照明の光量が前記規格範囲内になっても、前記供給電流の制御を終了せず、装置起動後に前記ＬＥＤ照明の温度が前記所定の温度範囲内になった後に、前記ＬＥＤ照明の光量が前記規格範囲内になった時点で、前記供給電流の制御を終了する、
請求項１から３のいずれか１項に記載の画像入力装置。
【請求項５】
前記制御回路は、
前記供給電流の制御を終了した時点の前記供給電流を保存し、
次回の装置起動直後は、前記保存した前記供給電流を前記ＬＥＤ照明に供給する、
請求項４に記載の画像入力装置。
【請求項６】
複数のＬＥＤ素子から構成されるＬＥＤ照明を備える画像入力装置の制御方法であって、
前記ＬＥＤ照明の温度を検出する温度検出ステップと、
前記ＬＥＤ照明の光量を検出する光量検出ステップと、
前記ＬＥＤ照明の温度及び前記ＬＥＤ照明の光量に基づいて、前記ＬＥＤ照明に供給する供給電流を制御する制御ステップと、を備え、
前記制御ステップでは、
装置起動後に前記ＬＥＤ照明の温度が所定の温度範囲内になるまでは、前記ＬＥＤ照明の光量が規格範囲内になければ、前記供給電流を、第２電流量よりも大きい第１電流量分増加又は減少させる処理を繰り返し行い、
装置起動後に前記ＬＥＤ照明の温度が前記所定の温度範囲内になった後は、前記ＬＥＤ照明の光量が前記規格範囲内になければ、前記供給電流を前記第２電流量分増加又は減少させる処理を繰り返し行う、
画像入力装置の制御方法。
【請求項７】
前記制御ステップでは、
前記ＬＥＤ照明をブロック単位で分割し、
各ブロック毎に、前記ＬＥＤ照明の温度及び該当ブロックの光量に基づいて、該当ブロックに供給する前記供給電流を制御する、
請求項６に記載の画像入力装置の制御方法。
【請求項８】
前記制御ステップでは、
装置起動後に前記ＬＥＤ照明の温度が前記所定の温度範囲内になるまでは、各ブロック毎に、該当ブロックの光量が前記規格範囲内になければ、該当ブロックに供給する前記供給電流を前記第１電流量分増加又は減少させる処理を繰り返し行い、
装置起動後に前記ＬＥＤ照明の温度が前記所定の温度範囲内になった後は、各ブロック毎に、該当ブロックの光量が前記規格範囲内になければ、該当ブロックに供給する前記供給電流を前記第２電流量分増加又は減少させる処理を繰り返し行う、
請求項７に記載の画像入力装置の制御方法。
【請求項９】
前記制御ステップでは、
装置起動後に前記ＬＥＤ照明の温度が前記所定の温度範囲内になるまでは、前記ＬＥＤ照明の光量が前記規格範囲内になっても、前記供給電流の制御を終了せず、装置起動後に前記ＬＥＤ照明の温度が前記所定の温度範囲内になった後に、前記ＬＥＤ照明の光量が前記規格範囲内になった時点で、前記供給電流の制御を終了する、
請求項６から８のいずれか１項に記載の画像入力装置の制御方法。
【請求項１０】
複数のＬＥＤ素子から構成されるＬＥＤ照明を備えるコンピュータに、
前記ＬＥＤ照明の温度を検出する温度検出手順と、
前記ＬＥＤ照明の光量を検出する光量検出手順と、
前記ＬＥＤ照明の温度及び前記ＬＥＤ照明の光量に基づいて、前記ＬＥＤ照明に供給する供給電流を制御する制御手順と、を実行させ、
前記制御手順では、
装置起動後に前記ＬＥＤ照明の温度が所定の温度範囲内になるまでは、前記ＬＥＤ照明の光量が規格範囲内になければ、前記供給電流を、第２電流量よりも大きい第１電流量分増加又は減少させる処理を繰り返し行い、
装置起動後に前記ＬＥＤ照明の温度が前記所定の温度範囲内になった後は、前記ＬＥＤ照明の光量が前記規格範囲内になければ、前記供給電流を前記第２電流量分増加又は減少させる処理を繰り返し行う、
プログラム。
【発明の詳細な説明】
【技術分野】
【０００１】
本開示は、ＬＥＤ（Light Emitting Diode）照明を用いる画像入力装置及びその制御方法、並びにプログラムに関する。
【背景技術】
【０００２】
複数のＬＥＤ素子から構成されるＬＥＤ照明を用いて、画像を入力する画像入力装置が知られている。ＬＥＤ照明を用いる画像入力装置の一例として、スキャナ装置が挙げられる。スキャナ装置は、ＬＥＤ照明から原稿に光を照射して、原稿の画像をＣＣＤ（Charge Coupled Device）センサで読み取ることで、原稿の画像を入力する。
【０００３】
ＬＥＤ照明を用いる画像入力装置は、ＬＥＤ照明の光量が低下すると、入力する画像の輝度を確保することができなくなる。そのため、ＬＥＤ照明を用いる画像入力装置は、入力する画像の輝度を確保するために、ＬＥＤ照明の光量調整を行うことが一般的である。
【０００４】
例えば、特許文献１には、画像読取装置が、起動時に、ＬＥＤ照明の光量調整を行う技術が記載されている。特許文献１に記載の技術によれば、ＬＥＤ照明の光量が目標値に達するまで、ＬＥＤ照明に供給する電流を増加又は減少させる処理を繰り返し行う。
【先行技術文献】
【特許文献】
【０００５】
【特許文献１】特開２００２−３３０２６６号公報
【発明の概要】
【発明が解決しようとする課題】
【０００６】
上述のように、特許文献１に記載の技術は、起動時に、ＬＥＤ照明の光量が目標値に達するまで、ＬＥＤ照明に供給する電流を増加又は減少させる処理を繰り返し行う。
しかし、本発明者等は、ＬＥＤ照明の光量は、ＬＥＤ照明の温度が一定になるまで安定しないことを知見した。例えば、ＬＥＤ照明の点灯を開始してから、２〜３時間後に、ＬＥＤ照明の光量が安定することもあった。
【０００７】
そのため、ＬＥＤ照明を用いる画像入力装置は、起動時に、特許文献１に記載の技術を用いて、ＬＥＤ照明の光量調整を行ったとしても、ＬＥＤ照明の光量が安定するまで時間がかかってしまうおそれがある。
【０００８】
本開示の目的は、上述した課題を解決し、起動時に、ＬＥＤ照明の光量が安定するまでの時間の短縮化を図ることができる画像入力装置及びその制御方法、並びにプログラムを提供することにある。
【課題を解決するための手段】
【０００９】
一態様による画像入力装置は、
複数のＬＥＤ素子から構成されるＬＥＤ照明と、
前記ＬＥＤ照明の温度を検出する温度センサと、
前記ＬＥＤ照明の光量を検出する光量センサと、
前記温度センサで検出された前記ＬＥＤ照明の温度及び前記光量センサで検出された前記ＬＥＤ照明の光量に基づいて、前記ＬＥＤ照明に供給する供給電流を制御する制御回路と、を備え、
前記制御回路は、
装置起動後に前記ＬＥＤ照明の温度が所定の温度範囲内になるまでは、前記ＬＥＤ照明の光量が規格範囲内になければ、前記供給電流を、第２電流量よりも大きい第１電流量分増加又は減少させる処理を繰り返し行い、
装置起動後に前記ＬＥＤ照明の温度が前記所定の温度範囲内になった後は、前記ＬＥＤ照明の光量が前記規格範囲内になければ、前記供給電流を前記第２電流量分増加又は減少させる処理を繰り返し行う。
【００１０】
一態様による画像入力装置の制御方法は、
複数のＬＥＤ素子から構成されるＬＥＤ照明を備える画像入力装置の制御方法であって、
前記ＬＥＤ照明の温度を検出する温度検出ステップと、
前記ＬＥＤ照明の光量を検出する光量検出ステップと、
前記ＬＥＤ照明の温度及び前記ＬＥＤ照明の光量に基づいて、前記ＬＥＤ照明に供給する供給電流を制御する制御ステップと、を備え、
前記制御ステップでは、
装置起動後に前記ＬＥＤ照明の温度が所定の温度範囲内になるまでは、前記ＬＥＤ照明の光量が規格範囲内になければ、前記供給電流を、第２電流量よりも大きい第１電流量分増加又は減少させる処理を繰り返し行い、
装置起動後に前記ＬＥＤ照明の温度が前記所定の温度範囲内になった後は、前記ＬＥＤ照明の光量が前記規格範囲内になければ、前記供給電流を前記第２電流量分増加又は減少させる処理を繰り返し行う。
【００１１】
一態様によるプログラムは、
複数のＬＥＤ素子から構成されるＬＥＤ照明を備えるコンピュータに、
前記ＬＥＤ照明の温度を検出する温度検出手順と、
前記ＬＥＤ照明の光量を検出する光量検出手順と、
前記ＬＥＤ照明の温度及び前記ＬＥＤ照明の光量に基づいて、前記ＬＥＤ照明に供給する供給電流を制御する制御手順と、を実行させ、
前記制御手順では、
装置起動後に前記ＬＥＤ照明の温度が所定の温度範囲内になるまでは、前記ＬＥＤ照明の光量が規格範囲内になければ、前記供給電流を、第２電流量よりも大きい第１電流量分増加又は減少させる処理を繰り返し行い、
装置起動後に前記ＬＥＤ照明の温度が前記所定の温度範囲内になった後は、前記ＬＥＤ照明の光量が前記規格範囲内になければ、前記供給電流を前記第２電流量分増加又は減少させる処理を繰り返し行う、プログラムである。
【発明の効果】
【００１２】
上述の態様によれば、起動時に、ＬＥＤ照明の光量が安定するまでの時間の短縮化を図ることができる画像入力装置及びその制御方法、並びにプログラムを提供できるという効果が得られる。
【図面の簡単な説明】
【００１３】
【図１】実施の形態に係る画像入力装置が適用されるスキャナ装置の構成の一例を示す側面図である。
【図２】実施の形態に係る画像入力装置のブロック構成の一例を示すブロック図である。
【図３】ＬＥＤ照明の温度と光量との相関データの一例を示すグラフである。
【図４】実施の形態に係る画像入力装置におけるＬＥＤ照明の光量調整動作の一例を示すフロー図である。
【図５】図４に示したステップＳ１０６におけるＬＥＤ照明の光量調整１の処理の一例を示すフロー図である。
【図６】図４に示したステップＳ１０８におけるＬＥＤ照明の光量調整２の処理の一例を示すフロー図である。
【図７】図４に示したステップＳ１０５，Ｓ１０７における処理の一例を示す図である。
【図８】実施の形態を概念的に示した画像入力装置のブロック構成の一例を示すブロック図である。
【発明を実施するための形態】
【００１４】
以下、図面を参照して本開示の実施の形態について説明する。なお、以下の記載及び図面は、説明の明確化のため、適宜、省略及び簡略化がなされている。また、以下の各図面において、同一の要素には同一の符号が付されており、必要に応じて重複説明は省略されている。
【００１５】
＜実施の形態＞
まず、図１を参照して、本実施の形態に係る画像入力装置１００が適用されるスキャナ装置１１０の構成について説明する。図１は、本実施の形態に係る画像入力装置１００が適用されるスキャナ装置１１０の構成の一例を示す図である。
【００１６】
図１を参照すると、スキャナ装置１１０は、筐体１１の上面にセットされた原稿Ｍの画像を読み取る（入力する）ものである。筐体１１の内部には、矢印Ｄ方向に移動可能にＣＣＤモジュール１２が設けられている。また、ＣＣＤモジュール１２には、ＬＥＤ照明１３、ＣＣＤセンサ１４、及びミラー１５が収容されている。
【００１７】
スキャナ装置１１０において、筐体１１の上面にセットされた原稿Ｍの画像を読み取る（入力する）場合には、ＬＥＤ照明１３を点灯させて、原稿Ｍへ光を発射する。この光は、原稿Ｍで反射され、ミラー１５を介してＣＣＤセンサ１４に入射される。ＣＣＤセンサ１４は、入射された光を光電変換して、ＬＥＤ照明１３の光量を表す光量データを生成し、生成した光量データを後述の画像処理回路に出力する。以上の動作は、ＣＣＤモジュール１２を矢印Ｄ方向に移動させながら行う。そのため、ＣＣＤセンサ１４は、１ラインずつ光量データを生成し、生成した光量データを出力することを継続することになる。これにより、原稿Ｍの全ライン分の光量データが画像処理回路に出力され、画像処理回路は、原稿Ｍの全ライン分の光量データを基に、画像データを生成する。
【００１８】
続いて、図２を参照して、本実施の形態に係る画像入力装置１００のブロック構成について説明する。図２は、本実施の形態に係る画像入力装置１００のブロック構成の一例を示すブロック図である。
【００１９】
図２を参照すると、本実施の形態に係る画像入力装置１００は、ＬＥＤ照明１、ＣＣＤセンサ２、温度センサ３、画像処理回路４、ＤＡＣ（Digital Analog Converter）回路５、及びＬＥＤドライバ回路６を備えている。ＬＥＤ照明１及びＣＣＤセンサ２は、図１に示したＬＥＤ照明１３及びＣＣＤセンサ１４にそれぞれ対応する。
【００２０】
ＬＥＤ照明１は、複数のＬＥＤ素子から構成される照明である。
ＣＣＤセンサ２は、ＬＥＤ照明１から照射された光が入射され、入射された光を光電変換して、ＬＥＤ照明１の光量を表す光量データを生成し、生成した光量データを画像処理回路４に出力する。
温度センサ３は、ＬＥＤ照明１の温度を検出し、検出した温度を表す温度データを画像処理回路４に出力する。
【００２１】
画像処理回路４は、画像データを生成する役割や、ＬＥＤ照明１３に供給する供給電流を制御する役割を持つ。本実施の形態は、画像処理回路４が供給電流を制御する点に特徴があるため、以下では、この点に特化して、画像処理回路４の説明を行う。
【００２２】
上述のように、本発明者等は、ＬＥＤ照明の光量は、ＬＥＤ照明の温度が一定になるまで安定しないことを知見した。
図３は、ＬＥＤ照明の温度と光量との相関データの一例を示すグラフである。図３は、温度が０℃の時の光量を１００％として、各温度時の光量を％表示している。
図３を参照すると、ＬＥＤ照明の光量は、ある温度範囲内にならないと安定（飽和）しないことが分かる。図３の例では、ＬＥＤ照明の光量は、５０℃〜６０℃の温度範囲内でようやく安定している。
【００２３】
そのため、画像入力装置１００の起動時に、ＬＥＤ照明１の光量だけを用いて、ＬＥＤ照明１の光量が規格範囲内に収まるように、ＬＥＤ照明１に供給する供給電流を少しずつ増加又は減少させて、ＬＥＤ照明１の光量調整を行っても、ＬＥＤ照明１の光量が安定するまで時間がかかってしまうおそれがある。
【００２４】
そこで本実施の形態においては、画像処理回路４は、画像入力装置１００の起動時に行うＬＥＤ照明１の光量調整において、ＬＥＤ照明１の光量だけでなく、ＬＥＤ照明１の温度も用いて、ＬＥＤ照明１に供給する供給電流を制御する。
【００２５】
具体的には、画像処理回路４は、画像入力装置１００の起動後にＬＥＤ照明１の温度が所定の温度範囲内（図３の例では、５０℃〜６０℃の範囲内）になるまでは、ＬＥＤ照明１の光量が規格範囲内になければ、ＬＥＤ照明１に供給する供給電流を、第２電流量よりも大きい第１電流量分増加又は減少させる処理を繰り返し行う。
【００２６】
また、画像処理回路４は、画像入力装置１００の起動後にＬＥＤ照明１の温度が所定の温度範囲内になった後は、ＬＥＤ照明１の光量が規格範囲内になければ、ＬＥＤ照明１に供給する供給電流を第２電流量分増加又は減少させる処理を繰り返し行う。
【００２７】
このように、画像処理回路４は、画像入力装置１００の起動後にＬＥＤ照明１の温度が所定の温度範囲内になるまでは、ＬＥＤ照明１に供給する供給電流を、大きく増加又は減少させる処理を繰り返すため、ＬＥＤ照明１の光量を規格範囲内に速く収めることができる。これにより、画像入力装置１００の起動時に、ＬＥＤ照明１の光量が安定するまでの時間の短縮化を図ることができる。
【００２８】
画像処理回路４は、ＬＥＤ照明１に供給する供給電流を、第１電流量分又は第２電流量分、増加又は減少させる場合、ＤＡＣ回路５に設定する設定値を増加又は減少させる。
【００２９】
ＤＡＣ回路５は、画像処理回路４に設定された設定値をＤＡ変換し、設定値のアナログ信号をＬＥＤドライバ回路６に出力する。ＬＥＤドライバ回路６は、ＤＡＣ回路５から出力された設定値のアナログ信号に応じた供給電流をＬＥＤ照明１３に供給する。そのため、ＬＥＤドライバ回路６からＬＥＤ照明１３に供給される供給電流は、ＤＡＣ回路５の設定値に応じて、第１電流量分又は第２電流量分、増加又は減少することになる。
ＬＥＤ照明１は、ＬＥＤドライバ回路６から供給される供給電流が、第１電流量分又は第２電流量分、増加又は減少することに応じて、光量が増加又は減少する。
【００３０】
続いて、図４を参照して、本実施の形態に係る画像入力装置１００におけるＬＥＤ照明１の光量調整動作について説明する。図４は、本実施の形態に係る画像入力装置１００におけるＬＥＤ照明１の光量調整動作の一例を示すフロー図である。
【００３１】
図４を参照すると、画像入力装置１００が起動されると、まず、画像処理回路４は、画像処理回路４に保存されている設定値をＤＡＣ回路５に設定して、ＬＥＤ照明１を点灯させる（ステップＳ１０１）。この時点で画像処理回路４に保存されている設定値は、工場出荷後の最初の起動であれば、工場出荷時に保存された設定値であり、そうでなければ、前回の起動時に保存された設定値である。
【００３２】
次に、ＣＣＤセンサ２は、ＬＥＤ照明１から光を入射し、ＬＥＤ照明１の光量を表す光量データを画像処理回路４に出力する（ステップＳ１０２）。また、温度センサ３は、ＬＥＤ照明１の温度を検出し、ＬＥＤ照明１の温度を表す温度データを画像処理回路４に出力する（ステップＳ１０３）。
次に、画像処理回路４は、温度センサ３から出力された温度データを基に、ＬＥＤ照明１の温度が所定の温度範囲内であるか否かを判定する（ステップＳ１０４）。
【００３３】
ステップＳ１０４において、ＬＥＤ照明１の温度が所定の温度範囲内でない場合（ステップＳ１０４のＮＯ）、続いて、画像処理回路４は、ＣＣＤセンサ２から出力された光量データを基に、ＬＥＤ照明１の光量が規定範囲内であるか否かを判定する（ステップＳ１０５）。なお、ステップＳ１０５の詳細は後述する。ステップＳ１０５において、ＬＥＤ照明１の光量が規定範囲内である場合（ステップＳ１０５のＹＥＳ）、ステップＳ１０２に戻る。一方、ステップＳ１０５において、ＬＥＤ照明１の光量が規定範囲内でない場合（ステップＳ１０５のＮＯ）、ＬＥＤ照明１の光量調整１が行われる（ステップＳ１０６）。
【００３４】
図５は、ステップＳ１０６におけるＬＥＤ照明の光量調整１の処理の一例を示すフロー図である。ステップＳ１０６におけるＬＥＤ照明１の光量調整１は、ＬＥＤ照明１の光量が規格範囲に達していなければ、ＬＥＤ照明１に供給する供給電流を、第１電流量（第１電流量＞第２電流量）分増加させ、ＬＥＤ照明１の光量が規格範囲を超えていれば、ＬＥＤ照明１に供給する供給電流を、第１電流量分減少させる処理となる。具体的には、図５を参照すると、画像処理回路４は、ＬＥＤ照明１に供給する供給電流を、第１電流量分増加又は減少させるために、ＤＡＣ回路５に設定する設定値を増加又は減少させる（ステップＳ１０６１）。すると、ＤＡＣ回路５の設定値に応じて、ＬＥＤドライバ回路６からＬＥＤ照明１に供給される供給電流は、第１電流量分増加又は減少する（ステップＳ１０６２）。すると、ＬＥＤドライバ回路６から供給される供給電流に応じて、ＬＥＤ照明１の光量は、増加又は減少する（ステップＳ１０６３）。その後、ステップＳ１０２に戻る。
【００３５】
一方、ステップＳ１０４において、ＬＥＤ照明１の温度が所定の温度範囲内である場合（ステップＳ１０４のＹＥＳ）、続いて、画像処理回路４は、ＣＣＤセンサ２から出力された光量データを基に、ＬＥＤ照明１の光量が規定範囲内であるか否かを判定する（ステップＳ１０７）。なお、ステップＳ１０７の詳細は後述する。ステップＳ１０７において、ＬＥＤ照明１の光量が規定範囲内でない場合（ステップＳ１０７のＮＯ）、ＬＥＤ照明１の光量調整２が行われる（ステップＳ１０８）。
【００３６】
図６は、ステップＳ１０８におけるＬＥＤ照明の光量調整２の処理の一例を示すフロー図である。ステップＳ１０８におけるＬＥＤ照明１の光量調整２は、ＬＥＤ照明１の光量が規格範囲に達していなければ、ＬＥＤ照明１に供給する供給電流を、第２電流量（第１電流量＞第２電流量）分増加させ、ＬＥＤ照明１の光量が規格範囲を超えていれば、ＬＥＤ照明１に供給する供給電流を、第２電流量分減少させる処理となる。具体的には、図６を参照すると、画像処理回路４は、ＬＥＤ照明１に供給する供給電流を、第２電流量分増加又は減少させるために、ＤＡＣ回路５に設定する設定値を増加又は減少させる（ステップＳ１０８１）。すると、ＤＡＣ回路５の設定値に応じて、ＬＥＤドライバ回路６からＬＥＤ照明１に供給される供給電流は、第２電流量分増加又は減少する（ステップＳ１０８２）。すると、ＬＥＤドライバ回路６から供給される供給電流に応じて、ＬＥＤ照明１の光量は、増加又は減少する（ステップＳ１０８３）。その後、ステップＳ１０２に戻る。
【００３７】
一方、ステップＳ１０７において、ＬＥＤ照明１の光量が規定範囲内である場合（ステップＳ１０７のＹＥＳ）、続いて、画像処理回路４は、その時点でＤＡＣ回路５に設定されている設定値を保存し（ステップＳ１０９）、ＬＥＤ照明１３に供給する供給電流の制御を終了する。
【００３８】
画像処理回路４は、画像入力装置１００の次回の起動直後のステップＳ１０１では、ステップＳ１０９で保存した設定値をＤＡＣ回路５に設定して、ＬＥＤ照明１を点灯させることになる。
【００３９】
なお、ステップＳ１０５，Ｓ１０７のＬＥＤ照明１の光量の判定を行う際は、例えば、１ライン上をブロック単位（ＬＥＤ照明１のブロック単位に相当）に分割し、各ブロック毎に、該当ブロックの光量を判定しても良い。その詳細を図７に示す。
【００４０】
図７を参照すると、入力する画像は、Ｎ個の画素で１ラインを構成し、Ｎ個のラインがあるものとする。この場合、まず、画像処理回路４は、ライン間のばらつきを考慮し、画素番地毎に、Ｎライン分の光量データを平均化して、１ライン分の光量データとする（ステップＳ２０１）。次に、画像処理回路４は、画素間のばらつきを考慮し、画素を予め定められた画素数分のブロックに分割し（ステップＳ２０２）、各ブロック毎に、該当ブロックの光量データを平均化する（ステップＳ２０３）。その後、画像処理回路４は、各ブロック毎に、該当ブロックの平均化された光量が規格範囲内であるか否かを判定する（ステップＳ２０４）。
【００４１】
この場合、ステップＳ１０５，Ｓ１０７においては、全てのブロックについて、光量が規定範囲内である場合に、ＹＥＳと判定しても良いし、所定数以上のブロックについて、光量が規定範囲内である場合に、ＹＥＳと判定しても良い。
【００４２】
上述したように本実施の形態によれば、画像入力装置１００は、画像入力装置１００の起動後にＬＥＤ照明１の温度が所定の温度範囲内になるまでは、ＬＥＤ照明１の光量が規格範囲内になければ、ＬＥＤ照明１に供給する供給電流を、第２電流量よりも大きい第１電流量分増加又は減少させる処理を繰り返し行う。
【００４３】
また、画像入力装置１００は、画像入力装置１００の起動後にＬＥＤ照明１の温度が所定の温度範囲内になった後は、ＬＥＤ照明１の光量が規格範囲内になければ、ＬＥＤ照明１に供給する供給電流を第２電流量分増加又は減少させる処理を繰り返し行う。
【００４４】
このように、本実施の形態によれば、画像入力装置１００は、画像入力装置１００の起動後にＬＥＤ照明１の温度が所定の温度範囲内になるまでは、ＬＥＤ照明１に供給する供給電流を、大きく増加又は減少させる処理を繰り返すため、ＬＥＤ照明１の光量を規格範囲内に速く収めることができる。これにより、画像入力装置１００の起動時に、ＬＥＤ照明１の光量が安定するまでの時間の短縮化を図ることができる。また、画像入力装置１００の設置環境の温度変化にも対応することができるため、環境変動に左右されずに、安定した光量を確保することができる。
【００４５】
また、画像入力装置１００は、画像入力装置１００の起動後にＬＥＤ照明１の温度が所定の温度範囲内になるまでは、ＬＥＤ照明１の光量が規格範囲内になっても、ＬＥＤ照明１の供給電流の制御を終了せず、ＬＥＤ照明１の温度が所定の温度範囲内になった後に、ＬＥＤ照明１の光量が規格範囲内になった時点で、ＬＥＤ照明１の供給電流の制御を終了する。
【００４６】
ＬＥＤ照明１の温度が所定の温度範囲内になる前に、ＬＥＤ照明１の光量が規格範囲内になったとしても、その時点ではＬＥＤ照明１の光量は未だ安定していない。そのため、その時点でＬＥＤ照明１の供給電流の制御を終了してしまうと、その後に、ＬＥＤ照明１の光量が規格範囲から外れる可能性がある。本実施の形態によれば、ＬＥＤ照明１の温度が所定の温度範囲内になった後に、すなわち、ＬＥＤ照明１の光量が安定した後に、ＬＥＤ照明１の光量が規格範囲内になった時点で、ＬＥＤ照明１の供給電流の制御を終了する。そのため、その後に、ＬＥＤ照明１の光量が規格範囲から外れる可能性が低減される。
【００４７】
なお、本実施の形態においては、ＬＥＤ照明１のブロック全体に供給する供給電流を一様に制御しても良い。また、ＬＥＤ照明１の各ブロック毎に、該当ブロックに供給する供給電流を制御しても良い。各ブロック毎に、該当ブロックに供給する供給電流を制御する場合、該当ブロックの光量の判定は、図７に示したように行えば良い。
【００４８】
＜実施の形態の概念＞
続いて、図８を参照して、上述の実施の形態を概念的に示した画像入力装置２００のブロック構成について説明する。図８は、上述の実施の形態を概念的に示した画像入力装置２００のブロック構成の一例を示すブロック図である。
【００４９】
図８を参照すると、画像入力装置２００は、ＬＥＤ照明１０、光量センサ２０、温度センサ３０、及び制御回路４０を備えている。
ＬＥＤ照明１０は、複数のＬＥＤ素子から構成される照明である。ＬＥＤ照明１０は、図２に示したＬＥＤ照明１に対応する。
【００５０】
光量センサ２０は、ＬＥＤ照明１０の光量を検出する。光量センサ２０は、図２に示したＣＣＤセンサ２に対応する。
温度センサ３０は、ＬＥＤ照明１０の温度を検出する。温度センサ３０は、図２に示した温度センサ３に対応する。
【００５１】
制御回路４０は、温度センサ３０で検出された温度及び光量センサ２０で検出された光量に基づいて、ＬＥＤ照明１０に供給する供給電流を制御する。制御回路４０は、図２に示した画像処理回路４、ＤＡＣ回路５、及び、ＬＥＤドライバ回路６に対応する。
【００５２】
具体的には、制御回路４０は、画像入力装置２００の起動後にＬＥＤ照明１０の温度が所定の温度範囲内になるまでは、ＬＥＤ照明１０の光量が規格範囲内になければ、ＬＥＤ照明１０に供給する供給電流を、第２電流量よりも大きい第１電流量分増加又は減少させる処理を繰り返し行う。
【００５３】
また、制御回路４０は、画像入力装置２００の起動後にＬＥＤ照明１０の温度が所定の温度範囲内になった後は、ＬＥＤ照明１０の光量が規格範囲内になければ、ＬＥＤ照明１０に供給する供給電流を第２電流量分増加又は減少させる処理を繰り返し行う。
【００５４】
また、制御回路４０は、画像入力装置２００の起動後にＬＥＤ照明１０の温度が所定の温度範囲内になるまでは、ＬＥＤ照明１０の光量が規格範囲内になっても、ＬＥＤ照明１０に供給する供給電流の制御を終了しない。制御回路４０は、ＬＥＤ照明１０の温度が所定の温度範囲内になった後に、ＬＥＤ照明１０の光量が規格範囲内になった時点で、ＬＥＤ照明１０に供給する供給電流の制御を終了する。
【００５５】
また、制御回路４０は、ＬＥＤ照明１０に供給する供給電流の制御を終了した時点の供給電流を保存し、次回の画像入力装置２００の起動直後は、上記で保存した供給電流をＬＥＤ照明１０に供給する。
【００５６】
なお、制御回路４０は、ＬＥＤ照明１０をブロック単位で分割した各ブロック毎に、温度センサ３０で検出されたＬＥＤ照明１０の温度及び光量センサ２０で検出された該当ブロックの光量に基づいて、該当ブロックに供給する供給電流を制御しても良い。
【００５７】
この場合、制御回路４０は、画像入力装置２００の起動後にＬＥＤ照明１０の温度が所定の温度範囲内になるまでは、各ブロック毎に、該当ブロックの光量が規格範囲内になければ、該当ブロックに供給する供給電流を、第２電流量よりも大きい第１電流量分増加又は減少させる処理を繰り返し行う。
【００５８】
また、制御回路４０は、画像入力装置２００の起動後にＬＥＤ照明１０の温度が所定の温度範囲内になった後は、各ブロック毎に、該当ブロックの光量が規格範囲内になければ、該当ブロックに供給する供給電流を第２電流量分増加又は減少させる処理を繰り返し行う。
【００５９】
以上、実施の形態を参照して本開示について説明したが、本開示は上記の実施の形態に限定されるものではない。本開示の構成や詳細には、本願発明のスコープ内で当業者が理解し得る様々な変更をすることができる。
【００６０】
例えば、上記の実施の形態では、本開示をハードウェアの構成として説明したが、本開示は、これに限定されるものではない。本開示は、任意の処理を、ＣＰＵ（Central Processing Unit）等のプロセッサにコンピュータプログラムを実行させることにより実現することも可能である。
【００６１】
上述の例において、プログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Compact Disc-Read Only Memory）、ＣＤ−Ｒ（CD-Recordable）、ＣＤ−Ｒ／Ｗ（CD-ReWritable）、半導体メモリ（例えば、マスクＲＯＭ、ＰＲＯＭ（Programmable ROM）、ＥＰＲＯＭ（Erasable PROM）、フラッシュＲＯＭ、ＲＡＭ（Random Access Memory））を含む。また、プログラムは、様々なタイプの一時的なコンピュータ可読媒体（transitory computer readable medium）によってコンピュータに供給されても良い。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００６２】
上記の実施の形態の一部又は全部は、以下の付記のようにも記載されうるが、以下には限られない。
（付記１）
複数のＬＥＤ素子から構成されるＬＥＤ照明と、
前記ＬＥＤ照明の温度を検出する温度センサと、
前記ＬＥＤ照明の光量を検出する光量センサと、
前記温度センサで検出された前記ＬＥＤ照明の温度及び前記光量センサで検出された前記ＬＥＤ照明の光量に基づいて、前記ＬＥＤ照明に供給する供給電流を制御する制御回路と、を備え、
前記制御回路は、
装置起動後に前記ＬＥＤ照明の温度が所定の温度範囲内になるまでは、前記ＬＥＤ照明の光量が規格範囲内になければ、前記供給電流を、第２電流量よりも大きい第１電流量分増加又は減少させる処理を繰り返し行い、
装置起動後に前記ＬＥＤ照明の温度が前記所定の温度範囲内になった後は、前記ＬＥＤ照明の光量が前記規格範囲内になければ、前記供給電流を前記第２電流量分増加又は減少させる処理を繰り返し行う、
画像入力装置。
（付記２）
前記ＬＥＤ照明をブロック単位で分割し、
前記制御回路は、
各ブロック毎に、前記温度センサで検出された前記ＬＥＤ照明の温度及び前記光量センサで検出された該当ブロックの光量に基づいて、該当ブロックに供給する前記供給電流を制御する、
付記１に記載の画像入力装置。
（付記３）
前記制御回路は、
装置起動後に前記ＬＥＤ照明の温度が前記所定の温度範囲内になるまでは、各ブロック毎に、該当ブロックの光量が前記規格範囲内になければ、該当ブロックに供給する前記供給電流を前記第１電流量分増加又は減少させる処理を繰り返し行い、
装置起動後に前記ＬＥＤ照明の温度が前記所定の温度範囲内になった後は、各ブロック毎に、該当ブロックの光量が前記規格範囲内になければ、該当ブロックに供給する前記供給電流を前記第２電流量分増加又は減少させる処理を繰り返し行う、
付記２に記載の画像入力装置。
（付記４）
前記制御回路は、
装置起動後に前記ＬＥＤ照明の温度が前記所定の温度範囲内になるまでは、前記ＬＥＤ照明の光量が前記規格範囲内になっても、前記供給電流の制御を終了せず、装置起動後に前記ＬＥＤ照明の温度が前記所定の温度範囲内になった後に、前記ＬＥＤ照明の光量が前記規格範囲内になった時点で、前記供給電流の制御を終了する、
付記１から３のいずれか１項に記載の画像入力装置。
（付記５）
前記制御回路は、
前記供給電流の制御を終了した時点の前記供給電流を保存し、
次回の装置起動直後は、前記保存した前記供給電流を前記ＬＥＤ照明に供給する、
付記４に記載の画像入力装置。
（付記６）
複数のＬＥＤ素子から構成されるＬＥＤ照明を備える画像入力装置の制御方法であって、
前記ＬＥＤ照明の温度を検出する温度検出ステップと、
前記ＬＥＤ照明の光量を検出する光量検出ステップと、
前記ＬＥＤ照明の温度及び前記ＬＥＤ照明の光量に基づいて、前記ＬＥＤ照明に供給する供給電流を制御する制御ステップと、を備え、
前記制御ステップでは、
装置起動後に前記ＬＥＤ照明の温度が所定の温度範囲内になるまでは、前記ＬＥＤ照明の光量が規格範囲内になければ、前記供給電流を、第２電流量よりも大きい第１電流量分増加又は減少させる処理を繰り返し行い、
装置起動後に前記ＬＥＤ照明の温度が前記所定の温度範囲内になった後は、前記ＬＥＤ照明の光量が前記規格範囲内になければ、前記供給電流を前記第２電流量分増加又は減少させる処理を繰り返し行う、
画像入力装置の制御方法。
（付記７）
前記制御ステップでは、
前記ＬＥＤ照明をブロック単位で分割し、
各ブロック毎に、前記ＬＥＤ照明の温度及び該当ブロックの光量に基づいて、該当ブロックに供給する前記供給電流を制御する、
付記６に記載の画像入力装置の制御方法。
（付記８）
前記制御ステップでは、
装置起動後に前記ＬＥＤ照明の温度が前記所定の温度範囲内になるまでは、各ブロック毎に、該当ブロックの光量が前記規格範囲内になければ、該当ブロックに供給する前記供給電流を前記第１電流量分増加又は減少させる処理を繰り返し行い、
装置起動後に前記ＬＥＤ照明の温度が前記所定の温度範囲内になった後は、各ブロック毎に、該当ブロックの光量が前記規格範囲内になければ、該当ブロックに供給する前記供給電流を前記第２電流量分増加又は減少させる処理を繰り返し行う、
付記７に記載の画像入力装置の制御方法。
（付記９）
前記制御ステップでは、
装置起動後に前記ＬＥＤ照明の温度が前記所定の温度範囲内になるまでは、前記ＬＥＤ照明の光量が前記規格範囲内になっても、前記供給電流の制御を終了せず、装置起動後に前記ＬＥＤ照明の温度が前記所定の温度範囲内になった後に、前記ＬＥＤ照明の光量が前記規格範囲内になった時点で、前記供給電流の制御を終了する、
付記６から８のいずれか１項に記載の画像入力装置の制御方法。
（付記１０）
前記制御ステップでは、
前記供給電流の制御を終了した時点の前記供給電流を保存し、
次回の装置起動直後は、前記保存した前記供給電流を前記ＬＥＤ照明に供給する、
付記９に記載の画像入力装置の制御方法。
（付記１１）
複数のＬＥＤ素子から構成されるＬＥＤ照明を備えるコンピュータに、
前記ＬＥＤ照明の温度を検出する温度検出手順と、
前記ＬＥＤ照明の光量を検出する光量検出手順と、
前記ＬＥＤ照明の温度及び前記ＬＥＤ照明の光量に基づいて、前記ＬＥＤ照明に供給する供給電流を制御する制御手順と、を実行させ、
前記制御手順では、
装置起動後に前記ＬＥＤ照明の温度が所定の温度範囲内になるまでは、前記ＬＥＤ照明の光量が規格範囲内になければ、前記供給電流を、第２電流量よりも大きい第１電流量分増加又は減少させる処理を繰り返し行い、
装置起動後に前記ＬＥＤ照明の温度が前記所定の温度範囲内になった後は、前記ＬＥＤ照明の光量が前記規格範囲内になければ、前記供給電流を前記第２電流量分増加又は減少させる処理を繰り返し行う、
プログラム。
【符号の説明】
【００６３】
１００  画像入力装置
１  ＬＥＤ照明
２  ＣＣＤセンサ
３  温度センサ
４  画像処理回路
５  ＤＡＣ回路
６  ＬＥＤドライバ回路
１１０  スキャナ装置
１１  筐体
１２  ＣＣＤモジュール
１３  ＬＥＤ照明
１４  ＣＣＤセンサ
１５  ミラー
２００  画像入力装置
１０  ＬＥＤ照明
２０  光量センサ
３０  温度センサ
４０  制御回路
【図１】
2019165292.tif 000003
【図２】
2019165292.tif 000004
【図３】
2019165292.tif 000005
【図４】
2019165292.tif 000006
【図５】
2019165292.tif 000007
【図６】
2019165292.tif 000008
【図７】
2019165292.tif 000009
【図８】
2019165292.tif 000010